(57)【要約】【課題】取り扱いが容易であり、通気、通湿性を維持しつつ、防漏性に優れたペット用パンツを提供する。【解決手段】ペット用パンツは、装着時にペットの背中に当接する背当て部２０と、装着時にペットの腹に当接する腹当て部４０と、背当て部２０と腹当て部４０との間に形成され、装着時にペットの股に当接する股当て部３０と、背当て部２０の側端に形成され、装着時にペットの胴に巻き回して背当て部を固定する胴周り固定帯５０、６０と、を備え、腹当て部４０と股当て部３０とは、樹脂層の両側の表面に固着された繊維層を有する生地で形成されている。これにより、防漏性の優れた樹脂層と通気、通湿性の優れた繊維層とが一体となった生地を腹当て部と股当て部の全体に用いているため、通気、通湿性を維持しつつ、パンツ全体に防水機能をもたせ防漏性を向上させることができる。【選択図】図１
2008193920.tif 000002
【特許請求の範囲】
【請求項１】
装着時にペットの背中に当接する背当て部と、
装着時にペットの腹に当接する腹当て部と、
前記背当て部と腹当て部との間に形成され、装着時にペットの股に当接する股当て部と、
前記背当て部の側端に形成され、装着時にペットの胴に巻き回して前記背当て部を固定する胴周り固定帯と、を備え、
前記腹当て部と股当て部とは、樹脂層の両側の表面に固着された繊維層を有する生地で形成されていることを特徴とするペット用パンツ。
【請求項２】
前記背当て部は、ペットの尻から胴体の半分程度までを被覆可能な長さを有するペット用パンツであって、
前記背当て部を上側とし、前記腹当て部を下側としたとき、前記背当て部の上端はギャザー形状に形成されていることを特徴とする請求項１記載のペット用パンツ。
【請求項３】
前記背当て部は、装着時にペットの背中全体を被覆可能な長さを有するペット用パンツであって、
前記背当て部を上側とし、前記腹当て部を下側としたとき、前記背当て部の上端に形成され、装着時にペットの首に巻き回して前記背当て部を固定する首周り固定帯を更に備えることを特徴とする請求項１記載のペット用パンツ。
【請求項４】
前記腹当て部は、装着時にペットの腹から胸までを被覆可能な長さを有するペット用パンツであって、
前記背当て部を上側とし、前記腹当て部を下側としたとき、前記腹当て部の下端に形成され、装着時にペットの首に巻き回して前記腹当て部を固定する首周り固定帯を更に備えることを特徴とする請求項１記載のペット用パンツ。
【請求項５】
前記胴周り固定帯は、前記胴周り固定帯のペットの胴に巻き回した際の外周に前記腹当て部に着脱可能な帯側係止部を有し、
前記腹当て部は、前記胴周り固定帯をペットの胴に巻き回した際に前記胴周り固定帯に着脱可能な腹当て側係止部を有することを特徴とする請求項１から請求項４のいずれかに記載のペット用パンツ。
【請求項６】
装着時にペットの背中に当接する背当て部と、
装着時にペットの腹に当接する腹当て部と、
前記背当て部と腹当て部との間に形成され、装着時にペットの股に当接する股当て部と、
前記背当て部の側端に形成され、装着時にペットの腹に当接させた前記腹当て部に連結させて前記腹当て部および前記背当て部を固定する胴周り固定帯と、を備え、
前記腹当て部と股当て部とは、樹脂層の両側の表面に固着された繊維層を有する生地で形成されていることを特徴とするペット用パンツ。
【請求項７】
前記腹当て部および股当て部は、両側端にギャザー形状のマチ部を有することを特徴とする請求項１から請求項６のいずれかに記載のペット用パンツ。
【請求項８】
前記股当て部は、装着時にペットの足側に向かって尖った形状の尻尾孔を有することを特徴とする請求項１から請求項７のいずれかに記載のペット用パンツ。
【請求項９】
装着時にペットの背中に当接する背当て部と、
装着時にペットの腹に当接する腹当て部と、
前記背当て部と腹当て部との間に形成され、装着時にペットの股に当接する股当て部と、
前記背当て部の側端に形成され、装着時にペットの胴に巻き回して前記背当て部を固定する胴周り固定帯と、を備えることを特徴とするペット用パンツ。
【発明の詳細な説明】
【技術分野】
【０００１】
本発明は、犬や猫等のペットに装着して使用するペット用パンツに関する。
【背景技術】
【０００２】
介護が必要なペットは、自力でトイレに行くことができず、尿を漏らすことがある。たとえば、老犬、老猫等にとっては、自力で排尿をコントロールすることは困難である。そのようなペットの体は、皮膚が尿の湿気で湿っぽくなる等、不衛生になりがちである。そして、体が不衛生であることがペットの健康を害する原因ともなる。
【０００３】
また、紙おむつがペットに使用されることもあるが、長時間紙おむつを使用すると、股間部の温度が上昇し、生殖器官の発育に悪影響を及ぼす場合がある。これに対し局部に当たる部分を通気性のある複数層のパッドでカバーするペット用オムツもある（特許文献１参照）。
【０００４】
たとえば、特許文献１記載のペット用オムツは、トップシートと、バックシートと、これら両シートに内包されている吸収体とを備えている。そして、吸収体が、腹当部の所定領域と腹当部とに連続して配置され、吸収体とバックシートとの間に、吸収体の全域を覆う防漏フィルムを備える。
【特許文献１】特開２００４−１９４５６６号公報
【発明の開示】
【発明が解決しようとする課題】
【０００５】
しかしながら、上記のようなペット用オムツは、局所的にシートや吸収体を設けているために、これらによりカバーされていない部分から尿が漏れる可能性がある。また、複数のシートや吸収体の層を重ねているため、ペットの股部にフィットし難く装着時の扱いが難しくなる。また、オムツが重くなり、ペットに与える質感も悪くなる。
【０００６】
本発明は、このような事情に鑑みてなされたものであり、取り扱いが容易であり、通気、通湿性を維持しつつ、防漏性に優れたペット用パンツを提供することを目的とする。
【課題を解決するための手段】
【０００７】
（１）上記の目的を達成するため、本発明に係るペット用パンツは、装着時にペットの背中に当接する背当て部と、装着時にペットの腹に当接する腹当て部と、前記背当て部と腹当て部との間に形成され、装着時にペットの股に当接する股当て部と、前記背当て部の側端に形成され、装着時にペットの胴に巻き回して前記背当て部を固定する胴周り固定帯と、を備え、前記腹当て部と股当て部とは、樹脂層の両側の表面に固着された繊維層を有する生地で形成されていることを特徴としている。
【０００８】
このように、本発明のペット用パンツは、腹当て部と股当て部とが、樹脂層の両面に繊維層を有する生地で形成されている。防漏性の優れた樹脂層と通気、通湿性の優れた繊維層とが一体となった生地を腹当て部と股当て部の全体に用いているため、通気、通湿性を維持しつつ、パンツ全体に防水機能をもたせ防漏性を向上させることができる。また、局所的に吸収体を設けていないため、ペットへの装着が容易であり、ペットへ与える質感も良くなる。また、通気性が維持されるため、ペット用パンツは衛生面でも優れている。
【０００９】
（２）また、本発明に係るペット用パンツは、前記背当て部が、ペットの尻から胴体の半分程度までを被覆可能な長さを有するペット用パンツであって、前記背当て部を上側とし、前記腹当て部を下側としたとき、前記背当て部の上端はギャザー形状に形成されていることを特徴としている。
【００１０】
このように、本発明のペット用パンツは、背当て部の上端がギャザー形状に形成されているため、ペットの体にフィットさせて装着させることができる。その結果、ペット用パンツの防漏性がさらに向上する。
【００１１】
（３）また、本発明に係るペット用パンツは、前記背当て部が、装着時にペットの背中全体を被覆可能な長さを有するペット用パンツであって、前記背当て部を上側とし、前記腹当て部を下側としたとき、前記背当て部の上端に形成され、装着時にペットの首に巻き回して前記背当て部を固定する首周り固定帯を更に備えることを特徴としている。
【００１２】
このように、本発明のペット用パンツは、背当て部が首まで背中を覆う形態を有しており、首周り固定帯によりペットの全身に固定可能となっている。これにより、嫌がって暴れるペットに対しても本発明のペット用パンツを簡単に装着することができる。たとえば、胴回り固定帯で先に胴回りを固定し、次に首周り固定帯で首周りを固定することで、装着が容易になる。
【００１３】
（４）また、本発明に係るペット用パンツは、前記腹当て部が、装着時にペットの腹から胸までを被覆可能な長さを有するペット用パンツであって、前記背当て部を上側とし、前記腹当て部を下側としたとき、前記腹当て部の下端に形成され、装着時にペットの首に巻き回して前記腹当て部を固定する首周り固定帯を更に備えることを特徴としている。
【００１４】
このように、本発明のペット用パンツは、腹当て部が腹から胸までを覆う形態を有しており、首周り固定帯によりペットの全身に固定可能となっている。これにより、嫌がって暴れるペットに対しても本発明のペット用パンツを簡単に装着することができる。
【００１５】
（５）また、本発明に係るペット用パンツは、前記胴周り固定帯が、前記胴周り固定帯のペットの胴に巻き回した際の外周に前記腹当て部に着脱可能な帯側係止部を有し、前記腹当て部は、前記胴周り固定帯をペットの胴に巻き回した際に前記胴周り固定帯に着脱可能な腹当て側係止部を有することを特徴としている。
【００１６】
このように、本発明のペット用パンツは、胴周り固定帯の外周に帯側係止部を有し、腹当て部の下端に腹当て側係止部を有しており、両係止部は互いに着脱可能である。これにより、ペット用パンツをペットにしっかりと固定することができる。その結果、暴れるペットに対しても簡単にパンツを装着することができる。
【００１７】
（６）また、本発明に係るペット用パンツは、装着時にペットの背中に当接する背当て部と、装着時にペットの腹に当接する腹当て部と、前記背当て部と腹当て部との間に形成され、装着時にペットの股に当接する股当て部と、前記背当て部の側端に形成され、装着時にペットの腹に当接させた前記腹当て部に連結させて前記腹当て部および前記背当て部を固定する胴周り固定帯と、を備え、前記腹当て部と股当て部とは、樹脂層の両側の表面に固着された繊維層を有する生地で形成されていることを特徴としている。
【００１８】
このように、本発明のペット用パンツは、腹当て部と股当て部とが、樹脂層の両面に繊維層を有する生地で形成されている。防漏性の優れた樹脂層と通気、通湿性の優れた繊維層とが一体となった生地を腹当て部と股当て部の全体に用いているため、通気、通湿性を維持しつつ、パンツ全体に防水機能をもたせ防漏性を向上させることができる。また、局所的に吸収体を設けていないため、ペットへの装着が容易であり、ペットへ与える質感も良くなる。また、通気性が維持されるため、ペット用パンツは衛生面でも優れている。
【００１９】
（７）また、本発明に係るペット用パンツは、前記腹当て部および股当て部が、両側端にギャザー形状のマチ部を有することを特徴としている。これにより、腹当て部および股当て部の両側から尿が横漏れするのを防止することができる。
【００２０】
（８）また、本発明に係るペット用パンツは、前記股当て部が、装着時にペットの足側に向かって尖った形状の尻尾孔を有することを特徴としている。これにより、尻尾孔からから尿が漏れるのを防止することができる。
【００２１】
（９）また、本発明に係るペット用パンツは、装着時にペットの背中に当接する背当て部と、装着時にペットの腹に当接する腹当て部と、前記背当て部と腹当て部との間に形成され、装着時にペットの股に当接する股当て部と、前記背当て部の側端に形成され、装着時にペットの胴に巻き回して前記背当て部を固定する胴周り固定帯と、を備えることを特徴としている。
【００２２】
このように本発明のペット用パンツは、装着時にペットの胴に巻き回して背当て部を固定する胴周り固定帯を備えているため、ペットが装着を嫌がって暴れても容易に装着することができる。また、本発明のペット用パンツは、一旦装着されるとペットにフィットし、外れ難い。
【発明の効果】
【００２３】
本発明によれば、防漏性の優れた樹脂層と通気、通湿性の優れた繊維層とが一体となった生地を腹当て部と股当て部の全体に用いているため、通気、通湿性を維持しつつ、パンツ全体に防水機能をもたせ防漏性を向上させることができる。また、局所的に吸収体を設けていないため、ペットへの装着が容易であり、ペットへ与える質感も良くなる。また、通気性が維持されるため、ペット用パンツは衛生面でも優れている。
【発明を実施するための最良の形態】
【００２４】
次に、本発明の実施の形態について、図面を参照しながら説明する。説明の理解を容易にするため、各図面において同一の構成要素に対しては同一の参照番号を付し、重複する説明は省略する。
【００２５】
（実施形態１）
（全体構成）
図１は、展開した状態のペット用パンツ１の斜視図である。ペット用パンツ１は、本体１０および胴周り固定帯５０、６０により構成されている。本体１０は、一種類の生地で連続的に形成されているが、ペットに装着したときの当接する部位により背当て部２０、股当て部３０、および腹当て部４０に分けられる。すなわち、本体１０では、股当て部３０が、背当て部２０と腹当て部４０との間に形成されている。本体１０に用いられる生地の詳細は後述する。以下では、ペット用パンツ１の長手方向において、背当て部２０を上側、腹当て部４０を下側とし、ペット用パンツ１の表裏において、ペットに当接する側を内側、その反対側を外側と呼んで説明する。
【００２６】
背当て部２０は、装着時にペットの背中に当接する部分であり、その側端が胴周り固定帯５０、６０に接続している。背当て部２０の上端２５はパイピングされ、その上端２５に沿って、パイプが埋め込まれている。また、背当て部２０の上端２５ではギャザーが形成されており、ペット用パンツ１をペットの体にフィットさせて装着させることができる。その結果、ペット用パンツ１の防漏性が向上している。
【００２７】
股当て部３０は、装着時にペットの股に当接する部分であり、ペットの尻尾が当たる位置に尻尾孔３５が設けられている。この尻尾孔３５は、逆三角形に形成され、上側に底辺、下側に頂点が位置するように孔が開けられている。これにより、孔が足側に向かって尖った形状になっているため尻尾孔３５からから尿が漏れるのを防止することができる。なお、製作を容易にするため尻尾孔３５は逆三角形であることが好ましいが、扇形、ひし形等であってもよい。
【００２８】
腹当て部４０は、装着時にペットの腹に当接する部分であり、下端のそれぞれ両側端部の内側（ペット側）の面に２つのオスの面ファスナー４５、４６（腹当て側係止部）を有している。図１において、オスの面ファスナー４５、４６は、実際は見えない位置にあるが、破線で示されている（図４、図７、図９でも同様）。面ファスナー４５、４６は、胴周り固定帯５０の外側に設けられた図示しないメスの面ファスナー（帯側係止部）に着脱可能である。このように、腹当て部４０は、胴周り固定帯５０に連結可能であるため、ペット用パンツ１の装着時には、ペット用パンツ１を簡単に装着することができる。なお、上記の説明では面ファスナーのオス・メスを区別しているが、それぞれを設ける側を入れ替えてもよい。また、面ファスナー４５、４６の形状は、図１では、円形のものが示されているが特に形状は限定されない。また、２つの面ファスナーを両側端部に設けると効率がよいが、配置は必ずしもこれに限定されず、面ファスナーの数も１つまたは３つ等であってもよい。
【００２９】
股当て部３０および腹当て部４０は、両側端にマチ部４７、４８を有している。マチ部４７、４８は、立体ギャザー状に形成されており、ペットへの装着時には足の付け根に隙間なく当接し、尿の漏れを防止する。図２は、ペット用パンツ１のマチ部４８の拡大図である。矢印Ａは、拡大図においてマチ部４８を見ている方向を示している。図２に示すようにマチ部４７、４８は、立体縫製によりギャザーが形成されている。また、マチ部４７、４８には、パイプが通されており（パイピング）、防漏性を向上させている。なお、パイピングに代えてゴムを入れることにより防漏性を高めることもできる。また、股当て部３０および腹当て部４０は、図１に示すように、ペット用パンツ１を展開した状態において、立体縫製により内側に丸まった形状を有している。
【００３０】
一対の胴周り固定帯５０、６０は、背当て部２０の側端に縫合されている。それぞれの胴周り固定帯５０、６０は、ペットの腹部に十分届く長さを有し、互いに重ねることが可能となっている。一方の胴周り固定帯５０において、ペットの腹部に当接する側（内側）の面には肌触りのよいコットン層が設けられている。胴周り固定帯５０の外側の面全体には、図示しないメスの面ファスナー（胴用係止部）が設けられている。胴周り固定帯５０の面全体にメスの面ファスナーを設けることにより、胴周り固定帯５０、６０を連結させたときに長さを調節することができる。他方の胴周り固定帯６０は、内側の面にオスの面ファスナー６５（胴用係止部）を備えている。オスの面ファスナー６５は、面全体に設ける必要はなく、胴周り固定帯を連結したときに、その連結に必要な面積があればよい。
【００３１】
上記のように、ペット用パンツ１は、胴周り固定帯が対に設けられており、ペット用パンツ１の装着時にペットの腹側で両固定帯の係止部を連結させる形態が好適であるが、１本の固定帯のみを背当て部２０の一方の側端に設け、胴周りに巻き回して他方の側端で連結する形態としてもよい。次に、本体１０を形成する生地の構成を説明する。
【００３２】
（生地）
図３は、本体１０の断面図である。本体１０の生地は、樹脂層７０の両面に繊維層７５、８０が固着されて形成されている。このように防漏性の優れた樹脂層７０と通気、通湿性の優れた繊維層７５、８０とが一体となった生地を本体１０に用いているため、通気、通湿性を維持しつつ、防漏性を向上させることができる。また、ペットへの装着が容易であり、ペットへ与える質感も良くなる。
【００３３】
樹脂層７０は、樹脂で形成された層であり、工程を簡易にするため熱硬化性の樹脂で形成されていることが好ましい。樹脂層７０は、天然複合ゴム製であることが好ましく、さらにはポリウレタン系樹脂製であることが好ましい。このように樹脂層７０に天然の環境保護材料を使用しているため、質感が良くなり、さらには廃棄による影響が低減される。樹脂層７０は、耐水性および透湿性を有している。樹脂層７０の厚みは０．１〜１ｍｍ程度であることが好ましい。樹脂層７０を薄く形成することで、軽くて薄く、質感のよいペット用パンツ１を作製することができる。
【００３４】
繊維層７５、８０は、繊維で形成された層であり、必ずしもコットン製である必要はないが仕入れコスト等を考慮するとコットン製であることが好ましい。繊維層７５、８０は、繊維で形成されており、通気性および通湿性に優れている。繊維層７５、８０は、０．１〜１ｍｍ程度の厚みを有しており、樹脂層７０の両面に固着している。繊維層７５、８０の存在により、通気性および通湿性が向上し、水分が生地に浸透しても生地と皮膚との間に湿気を生じさせず、細菌の繁殖を防ぐことができる。さらには、通気性により股間部の温度上昇を防止し、生殖器発育不良を防ぐことができる。
【００３５】
（製造方法）
次に、このように構成されているペット用パンツ１の製造方法の一例を説明する。まず、本体１０の生地を作製する。そのために、コットン等の繊維シート上に所定温度以上のポリウレタン等の樹脂を塗布し、その上に繊維シートを重ね、冷却することで各層を固着させる。このように、繊維層の表面に樹脂層を塗布するため、生地が一体化し、質感のよい仕上がりとなる。また、一体化した生地を用いるので、製造が容易になる。次いで、作製された生地をあらかじめ設計しておいた本体１０の形状に切り取る。そして、切り取った生地の所定箇所に三角形の尻尾孔３５を型抜きする。
【００３６】
このようにして得られた本体１０の背当て部２０の上端にパイピングを施し、ギャザーを形成する。そして、背当て部２０の側端に胴周り固定帯５０、６０を縫合する。なお、胴周り固定帯５０の外側面全体にはメスの面ファスナー、胴周り固定帯６０の内側の一部にはオスの面ファスナーをあらかじめ縫い付けておく。次いで、股当て部３０および腹当て部４０がペットの股、腹に合うように、それらの側端にギャザー形状のマチ部を立体縫製により設ける。このようにして、ペット用パンツ１を製造することができる。このように、ペット用パンツ１は構造的にシンプルであるため、製造も容易である。
【００３７】
（使用方法）
次に、ペット用パンツ１の使用方法を説明する。図４は、装着時のペット用パンツ１を腹側から見た斜視図、図５は、装着時のペット用パンツ１を背中側から見た斜視図である。装着の際には、まず、ペット用パンツ１をペットの後ろからペットの体にあてがい、胴周り固定帯５０、６０をそれぞれペットの腹側に巻き回して、互いの固定帯を面ファスナーで連結する。次いで、尻尾孔３５からペットの尻尾を外に出す。そして、本体１０の腹当て部４０を胴周り固定帯５０、６０に合わせて、胴周り固定帯５０、６０の外側のメスの面ファスナー（図示せず）に腹当て部４０内側のオスの面ファスナー４５、４６を連結する。このようにして、先に胴周り固定帯５０、６０を連結することにより、嫌がって暴れるペットに対してもペット用パンツ１をしっかりと、かつ容易に装着することができる。
【００３８】
図５に示すように、背当て部２０の上端２５にギャザーが形成されているため、ペットの大きさに幅があってもペットへの固定は容易である。また、マチ部４７、４８が設けられているために、足の付け根部分でペット用パンツ１がペットの体に密着し、防漏の効果が向上する。
【００３９】
図６は、装着時にペット用パンツ１をペットの後ろから見た図である。図６に示すように、装着時には、ペット用パンツ１は、ペットＤに密着した状態で固定される。ペットＤは、股当て部３０の尻尾孔３５から尻尾を出しており、尻尾孔３５が逆三角形であるため、ペットが排尿したときにも、尿が尻尾孔３５から漏れ難い。
【００４０】
（実施形態２）
上記の実施形態では、ペット用パンツ１は固定帯として胴周り固定帯５０、６０のみを有しているが、その他に首周り固定帯を有していても良い。図７は、背当て部の上端に首周り固定帯を有するペット用パンツ９１の斜視図である。図７に示すように、ペット用パンツ９１の背当て部９２は、ペットの首元まで届くほどに長く形成されており、その上端９３には、首周り固定帯９４、９６が設けられている。一方の首周り固定帯９４の内側には、オスの面ファスナー９５（首用係止部）が形成されており、他方の首周り固定帯９６の外側には、メスの面ファスナー９７（首用係止部）が形成されている。メスの面ファスナー９７は、図７では実際には見えないが破線で示されている。
【００４１】
メスの面ファスナーを有する首周り固定帯９６は、オスの面ファスナー９５を有する首周り固定帯９４より２〜３割ほど長く形成されているのが好適である。そして、首周り固定帯９６のメスの面ファスナーは、表面の大部分を覆う程度の大きさに形成されており、首に巻き回される帯の長さを調整できるようになっている。首周り固定帯９４、９６は、背当て部９２の延長に設けられるため、製造工程で、これを本体９８とともに切り抜いて背当て部９２と一体で形成することができる。なお、上記の例では、首周り固定帯９４、９６は布製で帯形状を有しているが、背当て部９２の上端に縫い付けられた紐であってもよい。その場合には、首周りに紐を回して結ぶことで背当て部９２を固定することができる。
【００４２】
図８は、ペットＤに装着したときのペット用パンツ９１の斜視図である。図８に示すように、ペット用パンツ９１は、首周り固定帯９４、９６によりペットＤに固定される。これにより、ペットＤが動いたときでもペット用パンツ９１がずれることがない。ペット用パンツ９１をペットＤに装着する際には、まず、背当て部９２を首元に合わせる。そして首の太さに合わせて首周り固定帯９４、９６で首を固定する。次に、尻尾を尻尾孔３５から出す。そして胴周り固定帯５０、６０により胴周りにパンツを固定し、腹当て部４０を胴周り固定帯６０に連結することで股から腹までにパンツを固定して装着を完了する。このように装着することで、容易にペット用パンツ９１をペットＤに装着することができる。
【００４３】
なお、上記の例では、首周り固定帯９４、９６が背当て部９２と一体的に形成されているが、背当て部の上端に一本の帯状の首周り固定帯が縫合されたものであってもよい。図９は、背当て部の上端に一本の帯状の首周り固定帯を有するペット用パンツ９１の斜視図である。図９に示すように、首周り固定帯９３ａは、一本の帯が背当て部９２に縫合されることで形成されており、一方の首周り固定帯９４ａの外側には、メスの面ファスナー９５ａが設けられている。メスの面ファスナー９５ａは、図９において実際は見えない状態にあるが、破線により位置を示している。他方の首周り固定帯９６ａは、オスの面ファスナー９７ａを有している。
【００４４】
図１０は、ペットＤに装着したときのペット用パンツ９１ａの斜視図である。ペット用パンツ９１ａをペットＤに装着する際には、まず、背当て部９２を首元に合わせる。そして首の太さに合わせて首周り固定帯９４ａ、９６ａで首を固定する。次に、尻尾を尻尾孔３５から出す。そして胴周り固定帯５０、６０により胴周りにパンツを固定し、腹当て部４０を胴周り固定帯６０に連結することで股から腹までにパンツを固定して装着を完了する。このように装着することで、容易にペット用パンツ９１をペットＤに装着することができる。なお、上記の例では、首周り固定帯は布製で帯形状を有しているが、背当て部の上端に縫い付けられた紐であってもよい。その場合には、首周りに紐を回して結ぶことで背当て部を固定することができる。
【００４５】
（実施形態３）
上記の実施形態では、ペットの背中全体を覆う背当て部９２の上端に首周り固定帯９４、９６が設けられているが、腹当て部がペットの腹から胸までを覆い、その下端に首周り固定帯が設けられていてもよい。その場合、背当て部９２は、胴の半分程度までの長さを有していてもよいし、首元までの長さを有していてもよい。
【００４６】
首周り固定帯の内側には、オスの面ファスナー（首用係止部）が形成されており、他方の首周り固定帯の外側には、メスの面ファスナー（首用係止部）が形成されている。メスの面ファスナーを有する首周り固定帯は、オスの面ファスナーを有する首周り固定帯より長く形成されているのが好適である。そして、首周り固定帯のメスの面ファスナーは、表面の大部分を覆う程度の大きさに形成されており、首に巻き回される帯の長さを調整できるようになっている。首周り固定帯は、腹当て部の延長に設けられるため、製造工程で、これを本体とともに切り抜いて腹当て部と一体で形成することができる。なお、上記の例では、首周り固定帯は布製で帯形状を有しているが、腹当て部の上端に縫い付けられた紐であってもよい。その場合には、首周りに紐を回して結ぶことで背当て部を固定することができる。
【００４７】
（実施形態４）
上記の実施形態では、胴周り固定帯がペットの胴に巻き回せるほどの長さを有しているが、腹当て部に連結できる程度の長さを有しているものであってもよい。図１１は、胴周り固定帯を腹当て部に連結できるペット用パンツ１０１の斜視図である。
【００４８】
図１１に示すように、ペット用パンツ１０１は、本体１１０および胴周り固定帯１５０、１６０により構成されている。本体１１０は、背当て部２０、股当て部３０および腹当て部１４０を有している。腹当て部４０は、下端の外側の面にメスの面ファスナー１４５（腹当て側係止部）を有している。面ファスナー１４５は、胴周り固定帯１５０、１６０の内側に設けられたオスの面ファスナー１５５、１６５（帯側係止部）に着脱可能である。メスの面ファスナー１４５は、面全体に設けられているのが好ましい。なお、上記の説明では面ファスナーのオス・メスを区別しているが、それぞれを設ける側を入れ替えてもよい。
【００４９】
一対の胴周り固定帯１５０、１６０は、背当て部２０の側端に縫合されている。それぞれの胴周り固定帯１５０、１６０は、腹当て部１４０に十分届く長さを有し、腹当て部１４０に重ねて連結することが可能となっている。胴周り固定帯１５０、１６０は、内側の面にオスの面ファスナー１５５、１６５（胴用係止部）を備えている。図１２は、装着時のペット用パンツ１０１の斜視図である。ペット用パンツ１０１をペットに装着する際には、腹当て部１４０をペットの腹に当てて、胴周り固定帯１５０、１６０を腹当て部１４０に連結する。
【００５０】
なお、上記の例では、胴周り固定帯１５０、１６０は、それぞれ対称に１本ずつ設けられているが、胴周り固定帯を２本ずつ設けてもよい。図１３は、固定帯が２本ずつ対称に設けられたペット用パンツ１０１ａの装着時の斜視図である。ペット用パンツ１０１ａは、背当て部２０の一方の側端に２本の胴周り固定帯１５０ａ、１５０ｂを、他方の側端にもう２本の胴周り固定帯１６０ａ、１６０ｂを有している。各胴周り固定帯１５０ａ、１５０ｂ、１６０ａ、１６０ｂの内側には、オスの面ファスナー１５５ａ、１５５ｂ、１６５ａ、１６５ｂが設けられており、腹当て部１４０の外側の面の面ファスナー１４５に着脱可能になっている。特に、股上が長い仕様の場合には、面ファスナーが２段になることで、体にフィットし易くなる。
【００５１】
なお、上記の実施形態では、本体全体が樹脂層７０の両面に繊維層７５、８０が固着された生地で形成されているが、股当て部３０および腹当て部４０のみがこのような生地で形成されていてもよい。排出された尿が浸透するのは主に股当て部３０および腹当て部４０であるため、股当て部３０および腹当て部４０のみに上記生地が用いられても通湿性、防漏性は向上する。
【実施例】
【００５２】
ペット用パンツ１を用いて、通湿性および防漏性について検査を行った。耐水度の検査は、ＪＩＳ  Ｌ  １０９２Ａ法に基づいて行った。透湿度の検査は、ＪＩＳ  Ｌ  １０９９Ａ−１法に基づいて行った。その結果、耐水度は、６２９ｃｍ、透湿度は、１１９ｇ／ｍ２．ｈという検査結果が得られた。耐水度は、水が表生地を伝わり横漏れし、シリンダーの容量がなくなるためこれ以上の加圧ができなくなったときの値を示している。検査結果は上記の通りであるが、耐水度は２０ｃｍ以上が好ましく、さらには４００ｃｍ以上が好ましい。透湿度は、５０ｇ／ｍ２．ｈ以上であることが好適である。
【図面の簡単な説明】
【００５３】
【図１】本発明に係るペット用パンツの斜視図である。（実施形態１）
【図２】本発明に係るペット用パンツのマチ部の拡大図である。
【図３】本発明に係るペット用パンツの本体の断面図である。
【図４】本発明に係るペット用パンツを腹側から見た斜視図である。
【図５】本発明に係るペット用パンツを背中側から見た斜視図である。
【図６】装着時にペット用パンツをペットの後ろから見た図である。
【図７】本発明に係るペット用パンツの斜視図である。（実施形態２）
【図８】装着時にペット用パンツをペットの側面から見た図である。
【図９】本発明に係るペット用パンツの斜視図である。
【図１０】装着時にペット用パンツをペットの側面から見た図である。
【図１１】胴周り固定帯を腹当て部に連結できるペット用パンツの斜視図である。（実施形態３）
【図１２】装着時のペット用パンツの斜視図である。
【図１３】固定帯が２本ずつ対称に設けられたペット用パンツの装着時の斜視図である。（実施形態４）
【符号の説明】
【００５４】
１、９１、９１ａ、１０１ａ  ペット用パンツ
１０、９８、１１０  本体
２０、９２  背当て部
２５、９３  背当て部の上端
３０  股当て部
３５  尻尾孔
４０、１４０  腹当て部
４５、４６  面ファスナー（腹当て側係止部）
４７、４８  マチ部
５０、６０、１５０、１６０、１５０ａ、１５０ｂ、１６０ａ、１６０ｂ  胴周り固定帯
６５  面ファスナー（胴用係止部）
７０  樹脂層
７５、８０  繊維層
９４、９６、９３ａ  首周り固定帯
９５、９７、９５ａ、９７ａ  面ファスナー（首用係止部）
９４ａ、９６ａ  首周り固定帯の一端または他端
１４５、１５５、１６５、１５５ａ、１５５ｂ、１６５ａ、１６５ｂ  面ファスナー
Ｄ  ペット
【図１】
2008193920.tif 000003
【図２】
2008193920.tif 000004
【図３】
2008193920.tif 000005
【図４】
2008193920.tif 000006
【図５】
2008193920.tif 000007
【図６】
2008193920.tif 000008
【図７】
2008193920.tif 000009
【図８】
2008193920.tif 000010
【図９】
2008193920.tif 000011
【図１０】
2008193920.tif 000012
【図１１】
2008193920.tif 000013
【図１２】
2008193920.tif 000014
【図１３】
2008193920.tif 000015